(57)【要約】      （修正有）【課題】トラック等の燃料タンクにおける給油口周りや該燃料タンク側面の油汚れを防止する吸油バンドを提供する。【解決手段】吸油バンド１は、可撓性を有する防水保護材２と、防水保護材２の一面に取り付けられる吸油シート３と、防水保護材２をリング状に固定する固定手段４、５と、を備え、吸油シート３の取り付けられた面が内側面となるよう防水保護材２を燃料タンクの給油口に巻き付けるとともに、固定手段４、５によって防水保護材２をリング状に固定することで、燃料タンクの油汚れを防止することを特徴とする。【選択図】図１
0003202355.tif 000002
【実用新案登録請求の範囲】
【請求項１】
可撓性を有する防水保護材と、
前記防水保護材の一面に取り付けられる吸油シートと、
前記防水保護材をリング状に固定する固定手段と、を備え、
前記吸油シートの取り付けられた面が内側面となるよう前記防水保護材を燃料タンクの給油口に巻き付けるとともに、前記固定手段によって前記防水保護材をリング状に固定することで、前記燃料タンクの油汚れを防止する吸油バンド。
【請求項２】
前記吸油シートは植物性材料を主体とする油吸着材を含む請求項１記載の吸油バンド。
【請求項３】
前記防水保護材は可撓性樹脂材料からなる請求項１又は２記載の吸油バンド。
【請求項４】
前記吸油シートは前記防水保護材の一面に着脱可能に取り付けられる請求項１乃至３のいずれかに記載の吸油バンド。
【請求項５】
可撓性を有する防水保護材と、
前記防水保護材の一面に取り付けられる吸油シートと、を備える吸油材。
【考案の詳細な説明】
【技術分野】
【０００１】
本考案は、トラック等、車両用の燃料タンクの油汚れを防止する吸油バンド、及び前記吸油バンドや厨房等の床面等の油汚れを防止する吸油マット等に利用できる吸油材に関する。
【背景技術】
【０００２】
従来、トラック等の燃料タンクでは、給油が容易に行えるよう、給油口がタンク本体から斜めに突出して設けられている。また、前記給油口に螺合されるキャップには、燃料タンク内外の通気を可能とするための通気孔が設けられている。
【０００３】
前記燃料タンクは、給油時に給油口から漏れた燃料が該給油口から燃料タンク側面を伝って垂れたり、走行時の振動等により前記キャップの通気孔から外部に燃料が漏れたりすることで、当該給油口周りや燃料タンク側面が油で汚れる問題がある。
【０００４】
そこで、燃料タンクの油汚れを防止する装置が提案されている（特許文献１参照。）。
【０００５】
特許文献１に記載された装置は、燃料タンクの漏れ受け具であって、燃料タンクの給油口に巻かれるゴム等の軟性プラスチックのバンドと、この軟性プラスチックのバンドを締付ける締付ベルトを備える。
【０００６】
前記漏れ受け具は、前記軟性プラスチックのバンドが前記給油口の外壁との間に該給油口から溢れる液体を受ける樋を形成する形状とされており、前記軟性プラスチックのバンドの樋に一端が接続されたビニル管と、そのビニル管の他端を前記燃料タンクの下部で保持する金具とをさらに備える。
【０００７】
前記漏れ受け具によれば、給油時や走行時に前記給油口やキャップの通気孔から燃料が漏れた場合でも、該燃料が前記軟性プラスチックのバンドで受け止められて前記ビニル管から排出されるから、前記給油口周りや燃料タンク側面の油汚れを防止する効果が期待できる。
【０００８】
しかしながら、前記漏れ受け具では、前記給油口やキャップの通気孔から漏れた燃料の前記給油口と前記軟性プラスチックのバンドの締め付け部の間からの漏出を十分に防ぐことができず、依然として前記給油口周りや燃料タンク側面を汚す問題がある。
また、前記漏れ受け具は、構造上の問題から、走行時の振動等により前記ビニル管が脱落する虞がある。
【先行技術文献】
【特許文献】
【０００９】
【特許文献１】実開平５−５６５５１号公報
【考案の概要】
【考案が解決しようとする課題】
【００１０】
そこで、本考案は、トラック等の燃料タンクにおける給油口周りや該燃料タンク側面の油汚れを防止する吸油バンドを提供することを目的とする。
また、本考案は、前記吸油バンドや厨房等の床面等の油汚れを防止する吸油マット等に利用できる吸油材を提供することを目的とする。
【課題を解決するための手段】
【００１１】
上記目的を達成するため、本考案の吸油バンドは、
可撓性を有する防水保護材と、
前記防水保護材の一面に取り付けられる吸油シートと、
前記防水保護材をリング状に固定する固定手段と、を備え、
前記吸油シートの取り付けられた面が内側面となるよう前記防水保護材を燃料タンクの給油口に巻き付けるとともに、前記固定手段によって前記防水保護材をリング状に固定することで、前記燃料タンクの油汚れを防止することを特徴とする。
【００１２】
本考案の吸油バンドは、前記吸油シートが植物性材料を主体とする油吸着材を含むことが好ましい。
【００１３】
本考案の吸油バンドは、前記防水保護材が可撓性樹脂材料からなることが好ましい。
【００１４】
本考案の吸油バンドは、前記吸油シートが前記防水保護材の一面に着脱可能に取り付けられることが好ましい。
【００１５】
また、上記目的を達成するため、本考案の吸油材は、
可撓性を有する防水保護材と、
前記防水保護材の一面に取り付けられる吸油シートと、を備えることを特徴とする。
【００１６】
本考案の吸油材は、前記吸油シートが植物性材料を主体とする油吸着材を含むことが好ましい。
【００１７】
本考案の吸油材は、前記防水保護材が可撓性樹脂材料からなることが好ましい。
【００１８】
本考案の吸油材は、前記吸油シートが前記防水保護材の一面に着脱可能に取り付けられることが好ましい。
【考案の効果】
【００１９】
本考案の吸油バンドは、
可撓性を有する防水保護材と、
前記防水保護材の一面に取り付けられる吸油シートと、
前記防水保護材をリング状に固定する固定手段と、を備えるので、
前記吸油シートの取り付けられた面が内側面となるよう前記防水保護材を燃料タンクの給油口に巻き付けるとともに、前記固定手段によって前記防水保護材をリング状に固定することで、給油時や走行時にトラック等の燃料タンクにおける給油口やキャップの通気孔から燃料が漏れた場合でも、前記吸油シートにより前記漏れた燃料を吸油することができる。
したがって、本考案の吸油バンドによれば、トラック等の燃料タンクにおける給油口周りや該燃料タンク側面の油汚れを防止することができる。
【００２０】
また、本考案の吸油バンドは、防水保護材の一面に取り付けられる吸油シートを備え、前記吸油シートの取り付けられた面が内側面となるよう前記防水保護材を燃料タンクの給油口に巻き付けるので、前記防水保護材により前記吸油シートを雨水等から保護することができる。
【００２１】
本考案の吸油バンドは、前記吸油シートが植物性材料を主体とする油吸着材を含むこととすれば、吸油シートを廃棄する際の環境への負荷を小さくすることができる。
【００２２】
本考案の吸油バンドは、前記防水保護材が可撓性樹脂材料からなることとすれば、当該吸油バンドの取扱いが容易となり、燃料タンクの給油口に簡単に巻き付けて固定することができる。また、可撓性樹脂材料は、汚れにくく、傷がつきにつくい性質を有するため、前記防止保護材を繰り返し使用することが可能となる。
【００２３】
本考案の吸油バンドは、前記吸油シートが前記防水保護材の一面に着脱可能に取り付けられることとすれば、吸油シートの交換により再利用することが可能となる。
【００２４】
本考案の吸油材は、
可撓性を有する防水保護材と、
前記防水保護材の一面に取り付けられる吸油シートと、を備えるので、
厨房や工場等の床面、壁面等に吸油マット等として設置することで、床面、壁面等に油が飛散した場合でも、前記吸油シートにより前記飛散した油を吸油することができる。
したがって、本考案の吸油材によれば、厨房や工場等の床面、壁面等の油汚れを防止することができる。
【００２５】
また、本考案の吸油材は、前記防水保護材をリング状に固定する固定手段を設けることで、トラック等の燃料タンクにおける給油口周りや該燃料タンク側面の油汚れを防止する前記吸油バンドにも利用することができる。
【００２６】
本考案の吸油材は、防水保護材の一面に取り付けられる吸油シートを備えるので、前記防水保護材により前記吸油シートを水から保護することができる。
【００２７】
本考案の吸油材は、前記吸油シートが植物性材料を主体とする油吸着材を含むこととすれば、吸油シートを廃棄する際の環境への負荷を小さくすることができる。
【００２８】
本考案の吸油材は、前記防水保護材が可撓性樹脂材料からなることとすれば、当該吸油材の取扱いが容易となる。また、可撓性樹脂材料は、汚れにくく、傷がつきにつくい性質を有するため、前記防止保護材を繰り返し使用することが可能となる。
【００２９】
本考案の吸油材は、前記吸油シートが前記防水保護材の一面に着脱可能に取り付けられることとすれば、吸油シートの交換により再利用することが可能となる。
【図面の簡単な説明】
【００３０】
【図１】本考案の実施の形態における吸油バンドの正面図。
【図２】本考案の実施の形態における吸油バンドの斜視図。
【図３】本考案の実施の形態における吸油バンドの使用例の説明図。
【図４】本考案の他の実施の形態における吸油マットの平面図。
【考案を実施するための形態】
【００３１】
本考案の実施の形態を図面に基づいて説明する。
＜本考案の実施の形態＞
図１は本考案の実施の形態における吸油バンドの正面図であって、図１（ａ）は表面側から見た説明図、図１（ｂ）は裏面側からみた説明図を示す。
図２は本考案の実施の形態における吸油バンドを裏面側からみた斜視図を示す。
【００３２】
本考案の実施の形態における吸油バンド１は、可撓性を有する防水保護材２と、前記防水保護材２の裏面に取り付けられる吸油シート３と、前記防水保護材２をリング状に固定するための面ファスナー４，５を備える。
【００３３】
前記面ファスナー４，５は、前記防水保護材２の表面側一端部と、裏面側他端部に固定されている。
また、前記吸油シート３は、前記防水保護材２の裏面側一端部から他端部にかけて面テープ６により前記面ファスナー５を除く範囲に取り付けられている。
【００３４】
前記防水保護材２には、軟質ポリ塩化ビニル樹脂を用いることができる。軟質ポリ塩化ビニル樹脂は、可撓性を有する樹脂であり、水を弾き、汚れにくく、傷がつきにくい性質をもつ。
また、前記防水保護材２には、可撓性樹脂材料として、前記ポリ塩化ビニル樹脂の他、ポリエチレン樹脂、ポリプロピレン樹脂、ポリスチレン樹脂、ポリアミド樹脂等の各樹脂材料を用いることもできる。
ここで、前記可撓性樹脂材料は、上記各樹脂材料を主成分とする複合材料を含むものである。
【００３５】
前記防水保護材２として、前記ポリ塩化ビニル樹脂材等の可撓性を有する樹脂材料を用いれば、吸油バンド１の取扱いが容易となり、後述する燃料タンク７の給油口９に簡単に巻き付けて固定することができる。また、可撓性樹脂材料は、汚れにくく、傷がつきにつくい性質を有するため、前記防止保護材２を繰り返し使用することが可能となる。
【００３６】
前記吸油シート３には、植物殻（例えば、ピーナツ殻やコーヒー豆皮）等、植物性繊維からなる原料を粉砕して粉末化した吸油性粒子等の植物性材料を主体とする油吸着材や、前記吸油性粒子に油分解性能を有する微生物を混合してなる植物性材料を主体とする油吸着材を含むもの（例えば、有限会社アセンティー製、製品名「スノム油膜シート１００」）を用いることができる。
【００３７】
前記吸油シート３として、植物性材料を主体とする油吸着材を含むものを用いれば、吸油シートを廃棄する際の環境への負荷を小さくすることができる。
【００３８】
前記防水保護材２が、可撓性樹脂材料からなり、前記吸油シート３が面テープ６により着脱可能に前記防水保護材２の裏面に取り付けられるものであれば、吸油バンド１は、前記吸油シート３の交換により再利用することが可能となる。
【００３９】
図３は本考案の実施の形態における吸油バンドを燃料タンクの給油口に巻き付けて使用する例の説明図を示す。
【００４０】
一般に、トラック等の車両用の燃料タンク７は、給油が容易に行えるよう、タンク本体８から給油口９が斜めに突出して設けられている。
また、前記給油口９の開口部にはキャップ１０が螺合されるが、該キャップ１０にはタンク本体内外の通気を可能とするための通気孔が形成されている。
ここで、本考案において、前記給油口９は、先端開口部を含め、タンク本体８から斜めに突出する管状部分の全体を指す。
【００４１】
前記吸油バンド１は、使用に際し、前記吸油シート３の取り付けられた面が内側面となるよう前記防水保護材２を前記燃料タンク７の給油口９に巻き付けた後、前記防水保護材２を前記面ファスナー４，５によりリング状に固定する。
【００４２】
そのため、給油時や走行時にトラック等の燃料タンク７における給油口９やキャップ１０の通気孔から燃料が漏れた場合でも、前記吸油シート３により前記漏れた燃料を吸油することができる。
【００４３】
したがって、本考案の実施の形態によれば、トラック等の燃料タンク７における給油口９周りやタンク本体８側面の油汚れを防止することができる。
【００４４】
また、本考案の実施の形態において、前記吸油バンド１は、防水保護材２の裏面に取り付けられる吸油シート３を備え、前記吸油シート３の取り付けられた面が内側面となるよう前記防水保護材２を前記燃料タンク７の給油口９に巻き付けるので、前記吸油シート３を雨水等から保護することができる。
【００４５】
本考案の実施の形態において、前記防水保護材２には、ポリ塩化ビニル樹脂等の可撓性樹脂材料を用いることとしたが、可撓性樹脂材料に代えて、可撓性金属材料、撥水性を有する紙や布、可撓性を有する基材に防水加工が施された材料、その他可撓性を有し防水機能を有する材料を用いることもできる。
【００４６】
本考案の実施の形態において、前記吸油シート３には、植物性材料を主体とする油吸着材を含むものを用いることとしたが、市販されている種々の吸油シートを用いることもできる。
【００４７】
本考案の実施の形態において、前記吸油シート３は面テープ６により前記防水保護材２の裏面に取り付けることとしたが、面ファスナー等の他の固定手段により取り付けることもできる。
その場合も、前記吸油シート３が前記防水保護材２に対し着脱可能に取り付けられることとすれば、前記吸油バンド１は、前記吸油シート３の交換により再利用することが可能となる。
【００４８】
本考案の実施の形態において、前記防水保護材２をリング状に固定する固定手段として面ファスナー４，５を用いたが、前記固定手段は面ファスナー４，５に限るものでなく、面テープ、ボタン、ピン、アジャスター、ベルト式係合等、他の固定手段を用いることもできる。
【００４９】
＜本考案の他の実施の形態＞
図４は本考案の他の実施の形態における吸油マットの平面図であって裏面側からみた説明図を示す。
【００５０】
本考案の他の実施の形態における吸油マット１１は、可撓性を有する防水保護材１２と、前記防水保護材１２の裏面に面テープ１６により取り付けられる吸油シート１３を備える。
【００５１】
前記吸油シート１３には、植物殻（例えば、ピーナツ殻やコーヒー豆皮）等、植物性繊維からなる原料を粉砕して粉末化した吸油性粒子等の植物性材料を主体とする油吸着材や、前記吸油性粒子に油分解性能を有する微生物を混合してなる植物性材料を主体とする油吸着材を含むもの（例えば、有限会社アセンティー製、製品名「スノム油膜シート１００」）を用いる。
【００５２】
前記防水保護材１２には、軟質ポリ塩化ビニル樹脂を用いることができる。軟質ポリ塩化ビニル樹脂は、可撓性樹脂であり、水を弾き、汚れにくく、傷がつきにくい性質をもつ。
また、前記防水保護材１２には、可撓性樹脂材料として、前記ポリ塩化ビニル樹脂の他、ポリエチレン樹脂、ポリプロピレン樹脂、ポリスチレン樹脂、ポリアミド樹脂等の各樹脂材料を用いることもできる。
ここで、前記可撓性樹脂材料は、上記各樹脂を主成分とする複合材料を含むものである。
【００５３】
前記防水保護材１２として、前記ポリ塩化ビニル樹脂材等の可撓性を有する樹脂材料を用いれば、吸油マット１１の取扱いが容易となる。また、可撓性樹脂材料は、汚れにくく、傷がつきにつくい性質を有するため、前記防止保護材１２を繰り返し使用することが可能となる。
【００５４】
本考案の他の実施の形態において、前記吸油マット１１は、厨房や工場等の床面等に設置して使用することができる。
前記吸油マット１１を厨房や工場等の床面等に設置すれば、床面等に油が飛散した場合でも前記吸油シート１３により前記飛散した油を吸油することができる。
【００５５】
また、本考案の他の実施の形態における吸油マット１１は、吸油材として利用することができる。
例えば、本考案の他の実施の形態における吸油マット１１を、吸油材として厨房や工場等の壁面等に設置して使用すれば、壁面等に油が飛散した場合でも前記吸油シート１３により前記飛散した油を吸油することができる。
【００５６】
したがって、本考案の他の実施の形態によれば、厨房や工場等の床面、壁面等の油汚れを防止することができる。
【００５７】
本考案の他の実施の形態における吸油マット１１は、カット等により大きさを調整し、前記防水保護材をリング状に固定する固定手段を設けることとすれば、吸油材としてトラック等の燃料タンクにおける給油口周りやタンク本体側面の油汚れを防止する本考案の実施の形態における前記吸油バンド１にも利用することもできる。
【００５８】
本考案の他の実施の形態において、前記吸油マット１１は、防水保護材１２の裏面に取り付けられる吸油シート１３を備えるので、前記吸油シート１３を水から保護することができる。
【００５９】
本考案の他の実施の形態において、前記吸油シート１３には、植物性材料を主体とする油吸着材を含むものを用いるので、吸油シート１３を廃棄する際の環境への負荷を小さくすることができる。
【００６０】
本考案の他の実施の形態において、前記防水保護材１２には、前記可撓性樹脂材料の他、可撓性金属材料、撥水性を有する紙や布、可撓性を有する基材に防水加工が施された材料、その他可撓性を有し防水機能を有する材料を用いることもできる。
【００６１】
本考案の他の実施の形態において、前記吸油シート１３には、植物性材料を主体とする油吸着材を含むものを用いることとしたが、市販されている種々の吸油シートを用いることもできる。
【００６２】
本考案の他の実施の形態において、前記吸油シート１３は面テープ１６により前記防水保護材１２の裏面に取り付けることとしたが、面ファスナー等の他の固定手段により取り付けることもできる。
その場合、前記吸油シート１３が前記防水保護材１２に対し着脱可能に取り付けられることとすれば、前記吸油マット１１は、前記吸油シート１３の交換により再利用することが可能となる。
【００６３】
なお、本考案は、上記実施の形態に限るものでなく、考案の範囲を逸脱しない限りにおいてその構成を適宜変更できることはいうまでもない。
【産業上の利用可能性】
【００６４】
本考案の吸油バンドは、トラック等、車両用の燃料タンクの油汚れを防止することができるため、実用性に優れる。また、本考案の吸油材は、厨房等の床面等の油汚れを防止する吸油マット等に利用できる他、前記吸油バンドにも利用できるものであり、利用価値が高い。
【符号の説明】
【００６５】
１      吸油バンド
２      防水保護材
３      吸油シート
４      面ファスナー
５      面ファスナー
６      面テープ
７      燃料タンク
８      タンク本体
９      給油口
１０      キャップ
１１      吸油マット
１２      防水保護材
１３      吸油シート
１６      面テープ
【図１】
0003202355.tif 000003
【図２】
0003202355.tif 000004
【図３】
0003202355.tif 000005
【図４】
0003202355.tif 000006